(57)【要約】【課題】簡易に高精度な画質調整を可能とする情報処理装置を提供すること【解決手段】撮像手段により撮像された第１の画像と、表示手段に表示された第１の画像を前記撮像手段により撮像した第２の画像との差分を検出する差分検出部と、前記差分に基づいて設定値を算出する算出部と、前記表示手段の画質調整を行う調整部に前記設定値を出力する出力部と、を備える【選択図】図１
2015161879.tif 000002
【特許請求の範囲】
【請求項１】
撮像手段により撮像された第１の画像と、表示手段に表示された第１の画像を前記撮像手段により撮像した第２の画像との差分を検出する差分検出部と、
前記差分に基づいて設定値を算出する算出部と、
前記表示手段の画質調整を行う調整部に前記設定値を出力する出力部と、
を備える画質調整装置。
【請求項２】
前記差分検出部は第１の画像及び第２の画像に含まれる同一被写体において比較対象部分を特定して第１の画像と第２の画像との差分を検出する請求項１に記載の画像調整装置。
【請求項３】
前記差分検出部はさらに、第１の画像及び第２の画像に含まれる前記同一被写体の大きさを略同一の大きさに調整した上で、前記比較対象部分を特定する請求項１又は請求項２に記載の画像調整装置。
【発明の詳細な説明】
【技術分野】
【０００１】
本発明は、表示手段に表示される画像の画質を調整するための情報処理を実行する情報処理装置に関する。
【背景技術】
【０００２】
一般的に、画像を映像表示装置等の表示装置の表示画面に表示する際には、画質調整が行われる。この画質調整はメーカー毎に異なる方法で行われ、また、ユーザは画質の設定画面を通じて自ら画質調整を行うことができる。
【０００３】
ところで、メーカーによる画質調整は各社の方針に応じて独自の調整が行われており、実際の色彩と表示画面に表示される物体の色彩の色再現性が高いとは限らない。色再現性を高めるためにユーザが自ら画質調整を行うとしても一般的に画質調整は複数のパラメータから構成されており、各パラメータをどのように調整することで色再現性が高まるかを把握することは困難である。
【０００４】
そこで特許文献１では、表示手段にテストパターンを表示し、これを撮影カメラで撮影することで、撮影カメラで撮影された画像はセルギャップのむらやバックライトの明るさのむらが重畳された画像となるので、これに基づいて画像補正テーブルを生成している。そして画像補正テーブルに基づいて補正を行うことで表示むらの低減を図っている。
【先行技術文献】
【特許文献】
【０００５】
【特許文献１】特開２０１３−２５０５７０号公報
【発明の概要】
【発明が解決しようとする課題】
【０００６】
特許文献１ではセルギャップのむらやバックライトの明るさのむらは考慮されているものの、撮影カメラの性能によるむらが考慮されていない。従って、画像補正テーブルに基づいて補正を行ったとしても撮影カメラによる画像調整を含めて補正することになり、正確に色再現を行うことはできない。
【０００７】
本発明は上述した問題点に鑑み、簡易に高精度な画質調整を可能とする情報処理装置を提供することを目的とする。
【課題を解決するための手段】
【０００８】
上記目的を達成するために本発明の情報処理装置は、撮像手段により撮像された第１の画像と、表示手段に表示された第１の画像を前記撮像手段により撮像した第２の画像との差分を検出する差分検出部と、前記差分に基づいて設定値を算出する算出部と、前記表示手段の画質調整を行う調整部に前記設定値を出力する出力部と、を備えることを特徴とする。
【０００９】
また上記構成の情報処理装置において、前記差分検出部は第１の画像及び第２の画像に含まれる同一被写体において比較対象部分を特定して第１の画像と第２の画像との差分を検出することが望ましい。
【００１０】
また上記構成の情報処理装置において、前記差分検出部はさらに、第１の画像及び第２の画像に含まれる前記同一被写体の大きさを略同一の大きさに調整した上で、前記比較対象部分を特定することが望ましい。
【発明の効果】
【００１１】
本発明によれば、同一の撮像手段によって撮像された二枚の画像を比較して差分を検出し、設定値を算出するので、撮像手段の性能が設定値に影響を与えない。また、設定値に基づいて調整部が調整を行うのでユーザは自ら複数のパラメータを調整する必要がなく、容易に色再現性の高い調整が実行される。
【図面の簡単な説明】
【００１２】
【図１】画質調整システムを示す第１のブロック図
【図２】情報処理の一例を示す第１のフローチャート
【図３】画質調整システムを示す第２のブロック図
【図４】情報処理の一例を示す第２のフローチャート
【発明を実施するための形態】
【００１３】
＜第１実施形態＞
以下に本発明の情報処理装置に関し、本実施形態では情報処理装置の一例として映像表示装置を例に図面を参照して説明する。なお、以下に示す映像表示装置は一例を示すものであって、本発明をこの映像表示装置に特定することを意図するものではなく、特許請求の範囲に含まれるその他の実施形態の映像表示装置にも等しく適応し得るものである。図１は画質調整システムを示す第１のブロック図である。図２は情報処理の一例を示す第１のフローチャートである。
【００１４】
制御部１は映像表示装置１００全体を制御する制御手段である。制御部１はＣＰＵとＲＯＭとＲＡＭ（いずれも不図示）とを含んでいる。ＲＯＭには制御部１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＯＭ、ＲＡＭ等は、バスを介して接続されている。なお、ＣＰＵ、ＲＯＭ及びＲＡＭはこれらの一部または全部を１チップに集積化しても構わない。
【００１５】
第１の画像記憶部２は携帯無線通信端末２００の撮像手段２２によって撮像された第１の画像を記憶する記憶手段である。第１の画像は被写体（例えば単一色の色紙）を撮像手段２２により撮像したものである。第２の画像記憶部３は液晶パネル１１に表示された第１の画像を撮像手段２２によって撮像した第２の画像を記憶する記憶手段である。なお、本実施形態では第１の画像記憶部２と第２の画像記憶部３を別構成としているが一の記憶部が両画像を記憶するものであってもよい。
【００１６】
通信部４は他の装置と通信可能な通信手段であり、本実施形態では特に携帯無線通信端末２００の通信部２３と通信を行って第１の画像及び第２の画像の送受信を行う。
【００１７】
差分検出部５は第１の画像と第２の画像を用いて映像表示装置１００の画質補正及び映像表示装置１００の設置環境に起因する差分を検出する差分検出手段である。上述したように第１の画像は、色紙等の物体を撮像手段２２によって撮像した画像であり、物体に撮像手段２２の画質補正（ホワイトバランス、露出補正、デジタル加工等）が加えられた画像である。これに対して第２の画像は液晶パネル１１に表示された第１の画像を撮像手段２２によって撮像したものである。従って第２の画像は第１の画像に映像表示装置１００の画質補正、撮像手段２２の画質補正（明るさ、彩度、色相、コントラスト、シャープネス等）及び映像表示装置１００の設置環境の影響が加えられた画像である。つまり、色紙等の物体の色情報と第１の画像における物体の色情報と第２の画像における物体の色情報とを比較することで映像表示装置１００の画質補正及び映像表示装置１００の設置環境に起因する差分を算出することができる。
【００１８】
算出部６は差分検出部５が検出した差分に基づいて、設定値（画質補正の各パラメータをどのように修正すべきかを示す値）を算出し、制御部１を介して設定値を調整部７に出力する。調整部７は取得した設定値に基づいて映像表示装置１００の画質補正を調整する。
【００１９】
バックライト駆動部８は制御部１により制御されてバックライト９に電力を供給してバックライト９の輝度を調整する。液晶駆動部１０は制御部１に制御されて液晶パネル１１を駆動する。液晶駆動部１０はゲートドライバ及びソースドライバ（いずれも不図示）を備え、液晶パネル１１はゲートドライバから印加される電圧によって各画素のＴＦＴのオン／オフが制御され、各画素のＴＦＴのオン期間にソースドライバから印加される電圧によってバックライト９からの光の透過を調整する。
【００２０】
次に図２を参照して情報処理の流れを説明する。なお、図２は映像表示装置１００の制御部１が実行する処理の流れを示すフローチャートである。
【００２１】
ステップＳ１１において制御部１は情報処理モードであるか否かを判定する。本実施形態において情報処理モードとは被写体の現実の色彩と映像表示装置１００に表示される同一被写体の色彩が略同一となるように、映像表示装置１００が自動で画質設定を調整するモードである。例えばリモコン等のメニューボタンを押下し、各種設定項目から情報処理モードを選択することで本モードに移行する。なお、ユーザ自身が情報処理モードに移行する操作を行うことなく情報処理モードに移行してもよく、例えばステップＳ１２における画像を取得すると同時に映像表示装置１００が自動で情報処理モードに移行することとしてもよい。情報処理モードであれば（ステップＳ１１のＹ）ステップＳ１２に進み、情報処理モードでなければ（ステップＳ１１のＮ）ステップＳ１１に戻る（画像を表示する等、通常の処理を実行する）。
【００２２】
ステップＳ１２において制御部１は第１の画像を取得したか否かを判定する。第１の画像とは上述したように被写体を撮像手段２２により撮像したものである。本フローチャートでは赤色の色紙を被写体とした場合を例に説明する。よって第１の画像は「赤色の色紙」に対して撮像手段２２の補正が加わった画像である。第１の画像を取得していれば（ステップＳ１２のＹ）ステップＳ１３に進み、第１の画像を取得していなければ取得するまで待機する（ステップＳ１２を繰り返す）。
【００２３】
ステップＳ１３において制御部１は取得した第１の画像を液晶パネル１１に表示する。すなわち液晶パネル１１に表示されている画像は、「赤色の色紙」に対して撮像手段２２の補正及び映像表示装置１００の補正が加わった画像である。
【００２４】
ステップＳ１４において制御部１は第２の画像を取得したか否かを判定する。第２の画像とは上述したように液晶パネル１１に表示された第１の画像を撮像手段２２によって撮像した画像であり、「赤色の色紙」に対して撮像手段２２の補正、映像表示装置１００の補正及び映像表示装置１００の設置環境の影響が加わり、再度撮像手段２２の補正が加わった画像である。第２の画像を取得していれば（ステップＳ１４のＹ）ステップＳ１５に進み、第２の画像を取得していなければ取得するまで待機する（ステップＳ１４を繰り返す）。
【００２５】
ステップＳ１５において制御部１は差分検出部５を制御して、映像表示装置１００の画質補正及び映像表示装置１００の設置環境に起因する差分を検出する。すなわち制御部１は「赤色の色紙」の色情報（以下、Ａと称する）と、第１の画像における「赤色の色紙」の色情報（以下、Ｂと称する）と、第２の画像における「赤色の色紙」の色情報（以下、Ｃと称する）を有している。従って、各色情報を比較することで差分を検出することが可能である。
【００２６】
ステップＳ１６において制御部１は算出部６を制御して、ステップＳ１５にて検出された差分に基づいて設定値を算出する。すなわち、ＡとＢの差分に基づいて撮像手段２２の補正情報（以下、Ｄと称する）を算出することができ、ＢとＣの差分に基づいて撮像手段２２の補正情報と映像表示装置１００の補正情報と映像表示装置１００の設置環境情報の和（以下、Ｅと称する）を算出することができる。従ってＤとＥから映像表示装置１００における画質設定の各パラメータに対してどのような修正を実行することで適切な補正（すなわちＡの色彩）になるかを算出することができる。
【００２７】
ステップＳ１７において制御部１は調整部７を制御して、ステップＳ１６で算出された設定値に基づいて映像表示装置１００における画質設定の各パラメータを調整する。
【００２８】
なお、各判定ステップ（特にステップＳ１２、Ｓ１４）においてＮ判定の場合に同一の処理を繰り返すこととしているがこれに限られるものではなく、例えばＮ判定後、一定時間経過した場合に情報処理モードを終了することとしてもよい。
【００２９】
本実施形態によれば、ユーザは自身の携帯無線通信端末（スマートフォン等）が備える撮像手段（カメラ）を用いて撮像するだけで映像表示装置が自動的に画質設定を調整するので煩わしい操作を行う必要がない。また、映像表示装置はユーザの携帯無線通信端末の撮像手段を特性を考慮して画質設定を調整するので高精度な調整が可能となり、映像表示装置に表示される被写体の色彩が実際に肉眼で見た際の被写体の色彩に近い色彩となる。
【００３０】
＜第２実施形態＞
第１実施形態では図１に示した映像表示装置１００と携帯無線通信端末２００のうち、映像表示装置１００を情報処理装置とする場合について説明したが、本実施形態では携帯無線通信端末を情報処理装置とする場合について説明する。なお、以下に示す携帯無線通信端末は一例を示すものであって、本発明をこの携帯無線通信端末に特定することを意図するものではなく、特許請求の範囲に含まれるその他の実施形態の映像表示装置にも等しく適応し得るものである。図３は画質調整システムを示す第２のブロック図である。図４は情報処理の一例を示す第２のフローチャートである。
【００３１】
制御部３１は映像表示装置３００全体を制御する制御手段である。制御部３１はＣＰＵとＲＯＭとＲＡＭ（いずれも不図示）とを含んでいる。ＲＯＭには制御部３１が実行するプログラム、プログラムの実行に必要なパラメータやデータが記憶されている。ＣＰＵはＲＯＭに記憶されている各種プログラムを実行する。ＲＡＭは各種処理の過程で得られるデータや各種処理の結果得られるデータを一時的に格納する。これらＣＰＵ、ＲＯＭ、ＲＡＭ等は、バスを介して接続されている。なお、ＣＰＵ、ＲＯＭ及びＲＡＭはこれらの一部または全部を１チップに集積化しても構わない。
【００３２】
第１の画像記憶部３２は携帯無線通信端末４００の撮像手段４２によって撮像された第１の画像を記憶する記憶手段である。第１の画像は被写体（例えば単一色の色紙）を撮像手段４２により撮像したものである。第２の画像記憶部３３は液晶パネル３９に表示された第１の画像を撮像手段４２によって撮像した第２の画像を記憶する記憶手段である。なお、本実施形態では第１の画像記憶部３２と第２の画像記憶部３３を別構成としているが一の記憶部が両画像を記憶するものであってもよい。
【００３３】
通信部３４は他の装置と通信可能な通信手段であり、本実施形態では特に携帯無線通信端末４００の通信部４３と通信を行って第１の画像、第２の画像及び設定値の送受信を行う。
【００３４】
差分検出部４４は液晶パネル３９に表示される第１の画像及び第２の画像を用いて映像表示装置３００の画質補正及び映像表示装置３００の設置環境に起因する差分を検出する差分検出手段である。上述したように第１の画像は、色紙等の物体を撮像手段４２によって撮像した画像であり、物体に撮像手段４２の画質補正（ホワイトバランス、露出補正、デジタル加工等）が加えられた画像である。これに対して第２の画像は液晶パネル３９に表示された第１の画像を撮像手段４２によって撮像したものである。従って第２の画像は第１の画像に映像表示装置３００の画質補正、撮像手段４２の画質補正（明るさ、彩度、色相、コントラスト、シャープネス等）及び及び映像表示装置３００の設置環境の影響が加えられた画像である。つまり、色紙等の物体の色情報と第１の画像における物体の色情報と第２の画像における物体の色情報とを比較することで映像表示装置３００の画質補正及び及び映像表示装置３００の設置環境に起因する差分を算出することができる。
【００３５】
算出部４５は差分検出部４４が検出した差分に基づいて、設定値（画質補正の各パラメータをどのように修正すべきかを示す値）を算出し、通信部４３を介して映像表示装置３００の通信部３４に送信（出力）する。通信部３４が受信した設定値は制御部３１を介して調整部３５に供給される。調整部３５は取得した設定値に基づいて映像表示装置３００の画質補正を調整する。
【００３６】
バックライト駆動部３６は制御部３１により制御されてバックライト３７に電力を供給してバックライト３７の輝度を調整する。液晶駆動部３８は制御部３１に制御されて液晶パネル３９を駆動する。液晶駆動部３８はゲートドライバ及びソースドライバ（いずれも不図示）を備え、液晶パネル３９はゲートドライバから印加される電圧によって各画素のＴＦＴのオン／オフが制御され、各画素のＴＦＴのオン期間にソースドライバから印加される電圧によってバックライト３７からの光の透過を調整する。
【００３７】
次に図４を参照して情報処理の流れを説明する。なお、図４は主に携帯無線通信端末４００の制御部４１が実行する処理の流れを示すフローチャートである。
【００３８】
ステップＳ２１において制御部４１は情報処理モードであるか否かを判定する。本実施形態において情報処理モードとは被写体の現実の色彩と映像表示装置３００に表示される同一被写体の色彩が略同一となるように、映像表示装置４００が自動で画質設定を調整するための設定値を算出するモードである。例えば所定のアプリケーションを起動することで本モードに移行する。なお、本ステップの判定は当該位置に限られるものではなく、例えば後述するステップＳ２６の前で判定することとしてもよい。情報処理モードであれば（ステップＳ２１のＹ）ステップＳ２２に進み、情報処理モードでなければ（ステップＳ２１のＮ）ステップＳ２１に戻る（画像を表示する等、通常の処理を実行する）。
【００３９】
ステップＳ２２において制御部４１は第１の画像を取得したか否かを判定する。第１の画像とは上述したように被写体を撮像手段４２により撮像したものである。本フローチャートにおいても第１実施形態と同様に赤色の色紙を被写体とした場合を例に説明する。よって第１の画像は「赤色の色紙」に対して撮像手段４２の補正が加わった画像である。第１の画像を取得していれば（ステップＳ２２のＹ）ステップＳ２３に進み、第１の画像を取得していなければ取得するまで待機する（ステップＳ２２を繰り返す）。
【００４０】
ステップＳ２３において制御部４１は第１の画像を映像表示装置３００の通信部３４に送信する。通信部３４は取得した第１の画像を制御部３１に供給し、制御部３１は取得した第１の画像を液晶パネル３９に表示する。すなわち液晶パネル３９に表示されている画像は、「赤色の色紙」に対して撮像手段４２の補正及び映像表示装置３００の補正が加わった画像である。
【００４１】
ステップＳ２４において制御部４１は第２の画像を取得したか否かを判定する。第２の画像とは上述したように液晶パネル３９に表示された第１の画像を撮像手段４２によって撮像した画像であり、「赤色の色紙」に対して撮像手段４２の補正、映像表示装置３００の補正及び映像表示装置３００の設置環境の影響が加わり、再度撮像手段４２の補正が加わった画像である。第２の画像を取得していれば（ステップＳ２４のＹ）ステップＳ２５に進み、第２の画像を取得していなければ取得するまで待機する（ステップＳ２４を繰り返す）。
【００４２】
ステップＳ２５において制御部４１は第２の画像を映像表示装置３００の通信部３４に送信する。通信部３４は取得した第２の画像を制御部３１に供給し、制御部３１は取得した第２の画像を液晶パネル３９に表示する。すなわち液晶パネル３９に表示されている画像は、「赤色の色紙」に対して撮像手段４２の補正、映像表示装置３００の補正及び映像表示装置３００の設置環境の影響が加わり、再度撮像手段２２の補正及び映像表示装置３００の補正が加わった画像である。
【００４３】
ステップＳ２５において制御部４１は差分検出部４４を制御して、映像表示装置３００の画質補正及び映像表示装置３００の設置環境に起因する差分を検出する。すなわち制御部４１は「赤色の色紙」の色情報（以下、Ｆと称する）と、第１の画像における「赤色の色紙」の色情報（以下、Ｇと称する）と、第２の画像における「赤色の色紙」の色情報（以下、Ｈと称する）を有している。液晶パネル液晶パネル従って、各色情報を比較することで差分を検出することが可能である。
【００４４】
ステップＳ２６において制御部４１は算出部４５を制御して、ステップＳ２５にて検出された差分に基づいて設定値を算出する。すなわち、ＦとＧの差分に基づいて撮像手段４２の補正情報（以下、Ｉと称する）を算出することができ、ＧとＨの差分に基づいて撮像手段４２の補正情報と映像表示装置３００の補正情報と映像表示装置３００の設置環境情報の和（以下、Ｊと称する）を算出することができる。従ってＩとＪから映像表示装置３００における画質設定の各パラメータに対してどのような修正を実行することで適切な補正（すなわちＡの色彩）になるかを算出することができる。
【００４５】
ステップＳ２７において制御部４１は設定値を映像表示装置３００の通信部３４に送信する。通信部３４は取得した設定値を制御部３１に供給し、制御部３１は調整部３５を制御して、ステップＳ２６で算出された設定値に基づいて映像表示装置３００における画質設定の各パラメータを調整する。
【００４６】
なお、各判定ステップ（特にステップＳ２２、Ｓ２４）においてＮ判定の場合に同一の処理を繰り返すこととしているがこれに限られるものではなく、例えばＮ判定後、一定時間経過した場合に情報処理モードを終了することとしてもよい。
【００４７】
本実施形態によれば、第１実施形態と同様の効果を奏する。加えて、ユーザが所持している携帯無線通信端末に標準装備されている撮像手段を用いて差分を検出し、設定値を算出する。
【００４８】
＜第３実施形態＞
第１実施形態及び第２実施形態では制御部１及び制御部４１が被写体の色情報を有することとしているが、これに限られるものではなく、被写体の色情報を有さない、すなわち、被写体を任意の物体としてもよい。以下、第１実施形態の変形例として説明するが、第２実施形態にも適用可能である。
【００４９】
第１実施形態では、ステップＳ１３において制御部１は取得した第１の画像を液晶パネル１１に表示することとしたが、本実施形態では取得した第１の画像に対し、映像表示装置１００の補正を加えた画像と、映像表示装置１００の補正を加えていない画像の双方を表示する。
【００５０】
そしてユーザは第１の画像が表示された液晶パネル１１と任意の物体とを並べ、任意の物体及び液晶パネル１１が画角に含まれるように撮像手段２２によって撮像する。当該画像がステップＳ１４で取得される第２の画像であり、すなわち第２の画像には、（１）任意の物体に対して撮像手段２２の補正及び映像表示装置１００の設置環境の影響が加わった画像と、（２）任意の物体に対して撮像手段２２の補正、映像表示装置１００の補正及び映像表示装置１００の設置環境の影響が加わり、再度撮像手段２２の補正が加わった画像と、（３）任意の物体に対して撮像手段２２の補正及び映像表示装置１００の設置環境の影響が加わり、再度撮像手段２２の補正が加わった画像とが含まれることになる。
【００５１】
ステップＳ１５において制御部１は差分検出部５を制御して、映像表示装置１００の画質補正及び映像表示装置１００の設置環境に起因する差分を検出する。すなわち制御部１は第１の画像における「任意の物体」の色情報（以下、Ｐと称する）と、第２の画像における上記（１）の「任意の物体」の色情報（以下、Ｑと称する）と、第２の画像における上記（２）の「任意の物体」の色情報（以下、Ｒと称する）と、第２の画像における上記（３）の「任意の物体」の色情報（以下、Ｓと称する）とを有している。従って、各色情報を比較することで差分を検出することが可能である。
【００５２】
ステップＳ１６において制御部１は算出部６を制御して、ステップＳ１５にて検出された差分に基づいて設定値を算出する。すなわち、ＱとＳの差分に基づいて撮像手段２２の補正情報（以下、Ｔと称する）を算出することができ、ＰとＲの差分に基づいて撮像手段２２の補正情報と映像表示装置１００の補正情報と映像表示装置１００の設置環境情報の和（以下、Ｕと称する）を算出することができる。従ってＴとＵから映像表示装置１００における画質設定の各パラメータに対してどのような修正を実行することで適切な補正（すなわち任意の物体の本来の色彩）になるかを算出することができる。
【００５３】
本実施形態によれば第１実施形態と同様の効果を奏する。加えて、任意の物体を被写体として情報処理が可能となり、情報処理のための附属品を要しないのでコストの増加を防ぐことができる。
【００５４】
＜補足＞
第１実施形態及び第２実施形態では被写体が単一の色情報を有する被写体であったが、これに限られるものではなく複数の色情報を有する被写体（例えば二色以上の色から構成される色紙）であってもよい。また、第３実施形態では任意の物体を被写体としているため、複数色で構成される物体であることが想定できる。
【００５５】
このような場合に、例えば第１の画像における青色部分と第２の画像における赤色部分を比較して差分を検出しても本願の目的に沿った設定値を算出することはできない。従って、比較対象部分を特定して比較し、差分を検出することとすればよい。
【００５６】
また、第１の画像における被写体と第２の画像における被写体の大きさ（倍率）が異なる場合には、比較対象部分の特定に誤差が生じ得るため、両被写体の大きさを略同一の大きさに調整した上で、比較対象部分を特定することで、より正確に差分を検出することができる。
【００５７】
また、映像表示装置１００及び３００は第２の画像を取得後に、液晶パネルに第１の画像及び第２の画像を並列表示することとしてもよい。これによりユーザが第１の画像と第２の画像の差異を視覚的に認識することができる。
【符号の説明】
【００５８】
１、１１、２１、３１、４１      制御部
２、３２      第１の画像記憶部
３、３３      第２の画像記憶部
４、２３、３４、４３      通信部
５、４４      差分検出部
６、４５      算出部
７、３５      調整部
８、３６      バックライト駆動部
９、３７      バックライト
１０、３８      液晶駆動部
１１、３９      液晶パネル
２２、４２      撮像手段
１００、３００      映像表示装置
２００、４００      携帯無線通信端末
【図１】
2015161879.tif 000003
【図２】
2015161879.tif 000004
【図３】
2015161879.tif 000005
【図４】
2015161879.tif 000006